(57)【要約】【課題】手動モードにおけるユーザの撮影の傾向等をユーザに提供し、撮影技術の向上を促すことが可能な技術を提供することを目的とする。【解決手段】撮像装置１は、被写体像に関する撮影画像を取得する撮像部１０１と、撮影画像を取得するときに使用者によって設定された撮影条件を取得し、撮影画像についての最適撮影条件を取得して、撮影条件と最適撮影条件とを比較する撮影条件解析部１０５と、順次に取得された複数の撮影画像各々についての比較結果を記憶する記憶部１０６と、複数の撮影画像についての各比較結果に基づいて使用者の撮影技術に関する撮影評価を行う評価値算出部１０７と、撮影評価を出力する情報出力部１１０とを備える。【選択図】図３
2008278408.tif 000002
【特許請求の範囲】
【請求項１】
撮像装置であって、
使用者の操作によって撮影条件を設定する撮影条件設定手段と、
被写体像に関する撮影画像を取得する撮像素子と、
前記撮影画像を取得する際の前記撮影条件を取得する撮影条件取得手段と、
前記撮影画像についての最適撮影条件を求める最適条件演算手段と、
前記撮影条件と前記最適撮影条件とを比較する比較手段と、
前記撮像素子で複数回にわたって取得された複数の撮影画像各々についての前記比較手段による比較結果を記憶する記憶手段と、
前記複数の撮影画像についての前記比較結果それぞれに基づいて前記使用者の撮影技術に関する撮影評価を行う撮影評価手段と、
前記撮影評価を出力する情報出力手段と、
を備えることを特徴とする撮像装置。
【請求項２】
請求項１に記載の撮像装置において、
前記最適撮影条件に基づいて前記撮影画像の撮影シーンを判別するシーン判別手段、
をさらに備え、
前記記憶手段は、前記撮影シーンごとに前記比較結果を記憶し、
前記撮影評価手段は、前記撮影シーンごとに前記撮影評価を行うことを特徴とする撮像装置。
【請求項３】
請求項１に記載の撮像装置において、
前記比較手段は、前記撮影条件と前記最適撮影条件とのズレ度合いを表す比較値を算出し、
前記撮影評価手段は、前記複数の撮影画像についての前記比較値を平均化した平均比較値に基づいて前記撮影評価を行うことを特徴とする撮像装置。
【請求項４】
請求項１に記載の撮像装置において、
前記比較手段は、前記撮影条件と前記最適撮影条件とのズレ度合いを表す比較値を算出し、
前記撮影評価手段は、前記複数の撮影画像についての前記比較値相互間の重みを規定する重み係数を用いて平均比較値を算出し、当該平均比較値に基づいて前記撮影評価を行うことを特徴とする撮像装置。
【請求項５】
請求項４に記載の撮像装置において、
前記重み係数は、特定の撮影条件を設定する際の難易度に影響を与える所定の要素に応じて変更されることを特徴とする撮像装置。
【請求項６】
請求項５に記載の撮像装置において、
前記特定の撮影条件は、フォーカスに関する設定条件であり、
前記所定の要素は、絞り値であることを特徴とする撮像装置。
【請求項７】
請求項５に記載の撮像装置において、
前記特定の撮影条件は、露出に関する設定条件であり、
前記所定の要素は、シャッタースピードであることを特徴とする撮像装置。
【請求項８】
請求項５に記載の撮像装置において、
前記特定の撮影条件は、ホワイトバランスに関する設定条件であり、
前記所定の要素は、シャッタースピードであり、
前記重み係数は、前記撮影画像における最大輝度差が所定の値以上である場合に、前記シャッタースピードに応じて変更されることを特徴とする撮像装置。
【請求項９】
請求項３に記載の撮像装置において、
前記撮影評価手段は、前記比較値に関する標準偏差を算出し、前記平均比較値と前記標準偏差とに基づいて前記撮影評価を行うことを特徴とする撮像装置。
【請求項１０】
画像処理装置であって、
撮影画像を取得する取得手段と、
前記撮影画像が撮影された際に、使用者によって設定されていた撮影条件を取得する撮影条件取得手段と、
前記撮影画像についての最適撮影条件を求める最適条件演算手段と、
前記撮影条件と前記最適撮影条件とを比較する比較手段と、
複数回にわたって撮影された複数の撮影画像各々についての前記比較手段による比較結果を記憶する記憶手段と、
前記複数の撮影画像についての前記比較結果それぞれに基づいて前記使用者の撮影技術に関する撮影評価を行う撮影評価手段と、
前記撮影評価を出力する情報出力手段と、
を備えることを特徴とする画像処理装置。
【請求項１１】
画像処理方法であって、
ａ）撮影画像を取得する工程と、
ｂ）前記撮影画像が撮影された際に、使用者によって設定されていた撮影条件を取得する工程と、
ｃ）前記撮影画像についての最適撮影条件を求める工程と、
ｄ）前記撮影条件と前記最適撮影条件とを比較する工程と、
ｅ）複数回にわたって撮影された複数の撮影画像各々についての前記ｄ）工程による比較結果を記憶する工程と、
ｆ）前記複数の撮影画像についての前記比較結果それぞれに基づいて前記使用者の撮影技術に関する撮影評価を行う工程と、
ｇ）前記撮影評価を出力する工程と、
を備えることを特徴とする画像処理方法。
【請求項１２】
コンピュータにおいて実行可能なプログラムであって、
前記コンピュータに、
ａ）撮影画像を取得する工程と、
ｂ）前記撮影画像が撮影された際に、使用者によって設定されていた撮影条件を取得する工程と、
ｃ）前記撮影画像についての最適撮影条件を求める工程と、
ｄ）前記撮影条件と前記最適撮影条件とを比較する工程と、
ｅ）複数回にわたって撮影された複数の撮影画像各々についての前記ｄ）工程による比較結果を記憶する工程と、
ｆ）前記複数の撮影画像についての前記比較結果それぞれに基づいて前記使用者の撮影技術に関する撮影評価を行う工程と、
ｇ）前記撮影評価を出力する工程と、
を実行させることを特徴とするプログラム。
【請求項１３】
プログラムを記録したコンピュータ読み取り可能な記憶媒体であって、
前記プログラムは、前記コンピュータに、
ａ）撮影画像を取得する工程と、
ｂ）前記撮影画像が撮影された際に、使用者によって設定されていた撮影条件を取得する工程と、
ｃ）前記撮影画像についての最適撮影条件を求める工程と、
ｄ）前記撮影条件と前記最適撮影条件とを比較する工程と、
ｅ）複数回にわたって撮影された複数の撮影画像各々についての前記ｄ）工程による比較結果を記憶する工程と、
ｆ）前記複数の撮影画像についての前記比較結果それぞれに基づいて前記使用者の撮影技術に関する撮影評価を行う工程と、
ｇ）前記撮影評価を出力する工程と、
を実行させることを特徴とするコンピュータ読み取り可能な記憶媒体。
【発明の詳細な説明】
【技術分野】
【０００１】
本発明は、使用者の撮影技術を評価する評価技術に関する。
【背景技術】
【０００２】
撮像装置には、自動で撮影条件を設定する自動モードの他に、手動で撮影条件を設定可能な手動モードが設けられているものがある。このような撮像装置においては、ユーザは、好みに応じていずれかのモードを選択して撮影を行うことができる。例えば、手動モードを選択した場合は、長秒時露光を行って夜景を撮影したり、露出量（露光量）を調整して被写体の露出を最適にしたポートレート撮影を行うことができる。
【０００３】
しかし、このような手動モードにおいて適切な撮影条件を設定することは非常に難しく、例えば、手動モードを利用し始めた人は、手動モードを選択しても撮影条件を適切に設定することができず、所望の撮影画像を取得することができない。また、一般ユーザにとっては、自分の撮影画像を評価される機会がほとんどないために、適切な撮影条件を設定できているか否かが分からず、ユーザ特有の癖などが撮影画像に出てしまう。
【０００４】
手動モードにおいて、ユーザによって設定された撮影条件の良否を判定する技術としては、設定された撮影条件が適正であるか否かを判断し、不適正な撮影条件であった場合は、撮影後に警告を発する技術が提案されている（特許文献１）。
【０００５】
【特許文献１】特開２００５−１０９６０７号公報
【発明の開示】
【発明が解決しようとする課題】
【０００６】
しかしながら、特許文献１に係る撮像装置では、１回の撮影ごとに撮影条件の良否判定を行い、当該１回の撮影についての良否をユーザに提供しているため、ユーザは手動モードにおける撮影の傾向および癖等を把握することができず、本質的なユーザの撮影技術の向上にはつながらない。
【０００７】
そこで、本発明は、手動モードにおけるユーザの撮影の傾向等をユーザに提供し、撮影技術の向上を促すことが可能な技術を提供することを目的とする。
【課題を解決するための手段】
【０００８】
本発明の第１の側面は、撮像装置であって、使用者の操作によって撮影条件を設定する撮影条件設定手段と、被写体像に関する撮影画像を取得する撮像素子と、前記撮影画像を取得する際の前記撮影条件を取得する撮影条件取得手段と、前記撮影画像についての最適撮影条件を求める最適条件演算手段と、前記撮影条件と前記最適撮影条件とを比較する比較手段と、前記撮像素子で複数回にわたって取得された複数の撮影画像各々についての前記比較手段による比較結果を記憶する記憶手段と、前記複数の撮影画像についての前記比較結果それぞれに基づいて前記使用者の撮影技術に関する撮影評価を行う撮影評価手段と、前記撮影評価を出力する情報出力手段とを備えることを特徴とする。
【０００９】
また、本発明の第２の側面は、画像処理装置であって、撮影画像を取得する取得手段と、前記撮影画像が撮影された際に、使用者によって設定されていた撮影条件を取得する撮影条件取得手段と、前記撮影画像についての最適撮影条件を求める最適条件演算手段と、前記撮影条件と前記最適撮影条件とを比較する比較手段と、複数回にわたって撮影された複数の撮影画像各々についての前記比較手段による比較結果を記憶する記憶手段と、前記複数の撮影画像についての前記比較結果それぞれに基づいて前記使用者の撮影技術に関する撮影評価を行う撮影評価手段と、前記撮影評価を出力する情報出力手段とを備えることを特徴とする。
【００１０】
また、本発明の第３の側面は、画像処理方法であって、ａ）撮影画像を取得する工程と、ｂ）前記撮影画像が撮影された際に、使用者によって設定されていた撮影条件を取得する工程と、ｃ）前記撮影画像についての最適撮影条件を求める工程と、ｄ）前記撮影条件と前記最適撮影条件とを比較する工程と、ｅ）複数回にわたって撮影された複数の撮影画像各々についての前記ｄ）工程による比較結果を記憶する工程と、ｆ）前記複数の撮影画像についての前記比較結果それぞれに基づいて前記使用者の撮影技術に関する撮影評価を行う工程と、ｇ）前記撮影評価を出力する工程とを備えることを特徴とする。
【００１１】
また、本発明の第４の側面は、コンピュータにおいて実行可能なプログラムであって、前記コンピュータに、ａ）撮影画像を取得する工程と、ｂ）前記撮影画像が撮影された際に、使用者によって設定されていた撮影条件を取得する工程と、ｃ）前記撮影画像についての最適撮影条件を求める工程と、ｄ）前記撮影条件と前記最適撮影条件とを比較する工程と、ｅ）複数回にわたって撮影された複数の撮影画像各々についての前記ｄ）工程による比較結果を記憶する工程と、ｆ）前記複数の撮影画像についての前記比較結果それぞれに基づいて前記使用者の撮影技術に関する撮影評価を行う工程と、ｇ）前記撮影評価を出力する工程とを実行させることを特徴とする。
【００１２】
また、本発明の第５の側面は、プログラムを記録したコンピュータ読み取り可能な記憶媒体であって、前記プログラムは、前記コンピュータに、ａ）撮影画像を取得する工程と、ｂ）前記撮影画像が撮影された際に、使用者によって設定されていた撮影条件を取得する工程と、ｃ）前記撮影画像についての最適撮影条件を求める工程と、ｄ）前記撮影条件と前記最適撮影条件とを比較する工程と、ｅ）複数回にわたって撮影された複数の撮影画像各々についての前記ｄ）工程による比較結果を記憶する工程と、ｆ）前記複数の撮影画像についての前記比較結果それぞれに基づいて前記使用者の撮影技術に関する撮影評価を行う工程と、ｇ）前記撮影評価を出力する工程とを実行させることを特徴とする。
【発明の効果】
【００１３】
本発明によれば、複数回にわたって取得された複数の撮影画像各々について、使用者の操作によって設定された撮影画像を取得する際の撮影条件と、撮影画像についての最適撮影条件とを比較して記憶する。そして、複数の撮影画像についての比較結果それぞれに基づいて使用者の撮影技術に関する撮影評価を行い、撮影評価を出力するので、ユーザの撮影の傾向または癖をユーザに提供することが可能になり、ユーザの撮影技術の向上を促すことが可能になる。
【発明を実施するための最良の形態】
【００１４】
以下、本発明の実施形態を図面を参照して説明する。
【００１５】
＜１．第１実施形態＞
＜１−１．構成＞
図１および図２は、本発明の第１実施形態に係る撮像装置１の外観構成を示す図である。ここで、図１は、撮像装置１の正面外観図であり、図２は、撮像装置１の背面外観図である。
【００１６】
撮像装置１は、例えばデジタルカメラとして構成されており、その前面（図１参照）において撮影レンズ３を有している。
【００１７】
撮影レンズ３は、主として、レンズ群及び絞り等によって構成される。レンズ群には、光軸方向に移動することによって焦点位置を変更するフォーカスレンズ等が含まれている。
【００１８】
また、撮像装置１は、その上面において露光開始を指示するためのレリーズボタン１１とフラッシュ４とを備えている。
【００１９】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、位相差による自動合焦（ＡＦ）制御動作および自動露出（ＡＥ）制御動作等）が行われる。また、レリーズボタン１１がさらに押し込まれてＳ２状態になると、当該本撮影画像の撮影動作（撮像素子（後述）を用いて被写体像に関する露光動作を行い、その露光動作によって得られた画像信号に所定の画像処理を施す一連の動作）が行われる。
【００２０】
また、撮像装置１は、その背面（図２参照）において、モニタ１２とファインダ窓１０とメインスイッチ１５と評価モード設定ボタン１６と方向選択キー１７と撮影モード設定キー１８とを備えている。
【００２１】
より詳細には、撮像装置１の背面の略中央には、モニタ１２が設けられている。モニタ１２は、例えばカラー液晶ディスプレイ（ＬＣＤ）として構成される。モニタ１２は、撮影条件等を設定するためのメニュー画面を表示したり、再生モードにおいてメモリカード（不図示）に記録された撮影画像を再生表示したりすることができる。
【００２２】
モニタ１２の上部には、ファインダ窓１０が設けられている。ファインダ窓１０には、被写体像が導かれ、撮影者（「使用者」または「ユーザ」とも称する）は、ファインダ窓１０を覗くことによって、被写体像を視認し、構図決めを行うことが可能である。
【００２３】
モニタ１２の左上部にはメインスイッチ（電源ＳＷ）１５が設けられている。メインスイッチ１５は２点スライドスイッチからなり、接点を左方の「ＯＦＦ」位置に設定すると、電源がオフになり、接点を右方の「ＯＮ」位置に設定すると、電源がオンになる。
【００２４】
モニタ１２の右側には方向選択キー（カーソルキー）１７が設けられている。この方向選択キー１７は円形の操作ボタンを有し、この操作ボタンにおける上下左右の４方向の押圧操作が、検出されるようになっている。なお、方向選択キー１７は、上記４方向の押圧操作とは別に、中央部のプッシュボタンの押圧操作も検出されるようになっている。
【００２５】
モニタ１２の左側には、撮影モード設定キー１８が設けられている。撮影モード設定キー１８と方向選択キー１７との協働操作によって、ユーザは、モニタ１２に表示されたモード設定画面上で、手動で撮影条件を設定可能な手動撮影モードと自動で撮影条件を設定する自動撮影モードとの切替設定を行うことができる。具体的には、絞り優先またはシャッタースピード優先等の自動露出（ＡＥ）モードとマニュアル露出モードとの切替、オートホワイトバランス（ＡＷＢ）モードとマニュアルＷＢモードとの切替、オートフォーカスモードとマニュアルフォーカスモードとの切替等の各種撮影モードの設定が行われる。
【００２６】
モニタ１２の右上部には、評価モード設定ボタン１６が設けられている。評価モード設定ボタン１６の操作により評価モードがＯＮ（オン）状態になると、ユーザの撮影技術（「撮影技量」とも称する）に関する評価情報がモニタ１２等に出力される。
【００２７】
次に、撮像装置１の機能について説明する。図３は、撮像装置１の機能構成を示すブロック図である。図４は、撮影条件解析部１０５の詳細を示すブロック図である。
【００２８】
図３に示すように、撮像装置１は、撮像部１０１と操作部１０２と画像データ取得部１０３と画像データ記憶部１０４と撮影条件解析部１０５と設定精度情報記憶部１０６と評価値算出部１０７とアドバイス情報記憶部１０８と制御部１０９と情報出力部１１０とを備えている。
【００２９】
撮像部１０１は、撮像素子（ＣＣＤまたはＣＭＯＳ）等の光学センサを備えて構成される。撮像素子は、受光面に結像された被写体像の露光（光電変換による電荷蓄積）を行い、当該被写体像に関する画像信号を生成する。具体的には、撮像素子は、フォトダイオードを有して構成される複数の画素がマトリクス状に２次元配置され、各画素の受光面にＲ(赤)、Ｇ(緑)、Ｂ(青)の原色透過フィルターが市松状に配設されてなるベイヤー配列のカラーセンサ（例えば、ＣＣＤ）として構成される。そして、撮像素子は、結像された被写体の光像をＲ（赤）、Ｇ（緑）、Ｂ（青）各色成分のアナログの電気信号に変換し、画像信号を生成する。
【００３０】
操作部１０２は、レリーズボタン１１、撮影モード設定キー１８（図１および図２参照）を含む各種ボタンおよびスイッチ等を備えて構成される。操作部１０２は、ユーザの各種命令を撮像装置１に入力する機能を有している。例えば、レリーズボタン１１の全押し状態が検出されると、本撮影画像の撮影動作が実行される。
【００３１】
画像データ取得部１０３は、操作部１０２の操作、例えばレリーズボタン１１の押下操作に応じて撮像部１０１から画像信号を取得し、所定の画像処理を施して撮影画像に関する画像データを取得する機能を有している。
【００３２】
画像データ記憶部１０４は、不揮発性メモリによって構成され、画像データ取得部１０３で取得された画像データを記憶し、撮影条件解析部１０５からの指示信号に応じて画像データを出力する機能を有している。
【００３３】
撮影条件解析部（「設定精度解析部」とも称する）１０５は、画像データ記憶部１０４に記憶された画像データ等に基づいてユーザによって設定された撮影条件（「設定撮影条件」とも称する）の解析を行い、露出（露光）情報、色情報（ホワイトバランス情報）およびフォーカス情報に関する設定精度情報を算出する。詳細には、図４に示されるように、撮影条件解析部１０５は、撮影条件取得部２０１と最適撮影条件取得部２０２と比較値算出部２０３と撮影シーン判別部２０４とを有している。
【００３４】
撮影条件取得部２０１は、撮影の際のユーザ操作に基づいて、ユーザが撮影時において設定した撮影条件（「撮影情報」とも称する）を取得する。撮影条件としては、例えば、露出に関する設定条件（露出情報）、ホワイトバランス（ＷＢ）に関する設定条件（ＷＢ情報）、フォーカスに関する設定条件（フォーカス情報）が挙げられる。露出情報としては、ユーザによって設定された絞り値（Ｆ値）、シャッタースピードおよびＩＳＯ感度から算出される露出量（露光量）が用いられる。ホワイトバランス情報（ＷＢ情報）としては、ユーザによって設定された色温度の設定値（「色温度設定値」または「ＷＢ調整値」とも称する）が用いられる。フォーカス情報としては、ユーザによって設定されたフォーカスレンズのレンズ位置（フォーカスレンズ位置）が用いられる。なお、絞り値、シャッタースピード、ＩＳＯ感度、色温度およびフォーカスレンズ位置は、例えばモニタ１２に表示されるメニュー画面を利用した方向選択キー１７等のボタン操作によって設定される。また、フォーカスレンズの位置は、レンズ位置検出部によって検出され、レンズ位置検出部（不図示）から出力されるフォーカスレンズの位置を示すデータに基づいて取得される。
【００３５】
最適撮影条件取得部２０２は、画像データ等に基づいて撮影条件取得部２０１において取得された撮影情報に関する最適撮影条件（最適撮影情報）を算出（演算）する。最適撮影条件は、自動撮影モードにおいてレリーズボタン１１のＳ１状態検出によって動作する不図示の自動露出（ＡＥ）制御部、自動合焦（ＡＦ）制御部、Ｓ２状態検出によって動作する自動ホワイトバランス（ＡＷＢ）制御部が有する各機能を用いて取得される。このようにして取得される最適撮影条件は、撮像装置１が有する撮影条件の自動設定機能によって演算により取得されることから算出撮影条件とも称される。
【００３６】
比較値算出部２０３は、撮影条件取得部２０１で取得された撮影条件と、最適撮影条件取得部２０２で算出された最適撮影条件とを比較して、比較値を算出する。
【００３７】
撮影シーン判別部２０４は、最適撮影条件に基づいて取得された画像データの撮影シーンを判別する機能を有している。
【００３８】
このように撮影条件解析部１０５は、画像データ取得時の撮影条件に関する比較値と撮影シーンとを取得し、撮影シーンと比較値とを互いに関連づけて設定精度情報として出力する。
【００３９】
設定精度情報記憶部１０６（図３）は、不揮発性メモリで構成され、撮影条件解析部１０５から出力された設定精度情報を記憶する。詳細には、撮影シーンごとに比較値が分類されて記憶される。そして、設定精度情報記憶部１０６は、評価値算出部１０７からの指示信号に応じて設定精度情報を出力する。
【００４０】
評価値算出部１０７は、設定精度情報記憶部１０６に記憶された複数の画像データに関する設定精度情報に基づいて、ユーザの撮影レベルを判断するための撮影評価値を算出する。
【００４１】
アドバイス情報記憶部１０８は、不揮発性メモリで構成され、各撮影評価値に対応するアドバイス情報を記憶している。
【００４２】
制御部１０９は、評価値算出部１０７によって算出された撮影評価値に基づいて、情報出力部１１０（次述）に対して所定の出力処理を行う機能を有している。具体的には、制御部１０９は、撮影評価値に対応するアドバイス情報をアドバイス情報記憶部１０８から取得し、情報出力部１１０に出力する。また、制御部１０９は、評価値算出部１０７から取得した撮影評価値をアドバイス情報記憶部１０８に記憶させる機能をも有している。
【００４３】
情報出力部１１０は、ユーザインターフェースとして機能し、ユーザに各種の情報を出力（提供）する。本実施形態では、情報出力部１１０は、モニタ１２または音声出力部等によって構成されるが、ユーザに各種情報（アドバイス情報等）を提供できるものであればこれらに限定されない。
【００４４】
＜１−２．動作＞
＜１−２−１．全体動作＞
次に、本実施形態における撮像装置１の動作について説明する。図５は、撮像装置１の動作を示すフローチャートである。
【００４５】
図５に示されるように、ステップＳＰ１では、レリーズボタン１１の半押し状態が検出されると、測光素子または撮像素子によって被写体像に関する光量データ、および位相差検出センサ（不図示）から被写体の測距情報が取得される。そして、レリーズボタン１１の全押し状態の検出に応答して本撮影画像の画像データが取得される。このようにして取得された画像データ、光量データおよび測距情報は、画像データ記憶部１０４に記憶される。
【００４６】
ステップＳＰ２では、撮影条件解析部１０５で画像データ等の解析が行われ、設定精度情報が取得される。詳細は、後述する。
【００４７】
ステップＳＰ３では、設定精度情報が設定精度情報記憶部１０６に記憶される。
【００４８】
ステップＳＰ４では、所定数の画像データ（例えば３０枚の画像データ）の設定精度情報が蓄積されたか否かが判断される。所定数の画像データの設定精度情報が蓄積されていない場合は、ステップＳＰ１に移行し、所定数の画像データの設定精度情報が蓄積されるまで、ステップＳＰ１〜ＳＰ４の処理が繰り返し実行される。
【００４９】
一方、所定数の画像データの設定精度情報が蓄積された場合は、ステップＳＰ５へと移行する。
【００５０】
ステップＳＰ５では、評価モード設定ボタン１６の操作により評価モードがＯＮ状態であるか否かが判定される。評価モードがＯＮ状態であった場合は、ステップＳＰ６へと移行し、オンでない場合は、ステップＳＰ１へと移行する。
【００５１】
ステップＳＰ６では、設定精度情報記憶部１０６に記憶されている設定精度情報に基づいて撮影評価値が評価値算出部１０７で算出される。詳細は、後述する。
【００５２】
ステップＳＰ７では、撮影評価値に対応するアドバイス情報がアドバイス情報記憶部１０８から取得される。
【００５３】
ステップＳＰ８では、撮影評価値および／またはアドバイス情報が情報出力部１１０に出力される。詳細は、後述する。
【００５４】
＜１−２−２．撮影条件の解析について＞
次に、ステップＳＰ２において実行される撮影条件解析動作について詳述する。図６は、撮影条件解析動作の詳細なフローチャートを示す図である。
【００５５】
図６に示されるように、ステップＳＰ２１では、マニュアル露出モードに設定されているか否かが判断される。マニュアル露出モードに設定されていない場合は、ステップＳＰ２４へ移行し、マニュアル露出モードに設定されている場合は、ステップＳＰ２２へと移行する。
【００５６】
ステップＳＰ２２では、撮影時の露出量（「露出値（ＥＶ）」とも称する）が算出される。露出量は、ユーザによって設定された撮影時の絞り値、シャッタースピードおよびＩＳＯ感度から算出される。
【００５７】
ステップＳＰ２３では、レリーズボタン１１の半押し状態を検出した際に取得された光量データに基づいて最適（適正）露出量が算出される。
【００５８】
ステップＳＰ２４では、マニュアルＷＢモードに設定されているか否かが判断される。マニュアルＷＢモードに設定されていない場合は、ステップＳＰ２７へ移行し、マニュアルＷＢモードに設定されている場合は、ステップＳＰ２５へと移行する。
【００５９】
ステップＳＰ２５では、撮影時においてユーザによって設定された色温度の設定値（例えば、４０００Ｋ）がＷＢ設定値として取得される。
【００６０】
ステップＳＰ２６では、ＡＷＢ制御部の機能を用いて画像データを解析することによって最適色温度が取得される。
【００６１】
ステップＳＰ２７では、マニュアルフォーカスモードに設定されているか否かが判断される。マニュアルフォーカスモードに設定されていない場合は、ステップＳＰ３０へ移行し、マニュアルＡＦモードに設定されている場合は、ステップＳＰ２８へと移行する。
【００６２】
ステップＳＰ２８では、ユーザによって設定されたフォーカスレンズのレンズ位置が取得される。
【００６３】
ステップＳＰ２９では、位相差検出センサによって取得された被写体の測距情報に基づいて、被写体の合焦状態が実現される位置（フォーカスレンズの合焦位置）が、最適レンズ位置として算出される。
【００６４】
ステップＳＰ３０では、ユーザによって設定された撮影条件と最適撮影条件とが比較値算出部２０３で比較されて比較値が算出される。比較値としては、例えば、手動で設定された撮影条件と最適撮影条件とにおいて、対応する要素同士の差の値を採用することができる。具体的には、手動で設定された露出量が「９ＥＶ」であり、最適撮影条件として算出された露出量が「１０ＥＶ」であった場合は、露出情報に関する比較値は、「−１ＥＶ」となる。また、手動で設定された色温度の設定値が「５５００Ｋ」であり、最適撮影条件として算出された最適色温度が「６５００Ｋ」であった場合は、ＷＢ情報に関する比較値は、「−１０００Ｋ」となる。また、最適撮影条件として算出されたフォーカスレンズの最適レンズ位置と、手動で設定されたフォーカスレンズのレンズ位置とを比較したデフォーカス量が「２」であった場合は、フォーカス情報に関する比較値は、「２」となる。なお、本実施形態では、対応する要素同士の差を比較値として用いていたが、対応する要素同士を除算することによって取得される値を比較値として用いてもよい。
【００６５】
このように、比較値は、最適撮影条件を基準にして算出されるので、ユーザによって設定された撮影条件の最適撮影条件からの乖離の程度（「乖離度合い」または「ズレ度合い」とも称する）を表しているとも表現することができる。例えば、比較値が比較的小さい場合は、手動で設定された撮影条件が最適撮影条件に近い、換言すれば手動による撮影条件の設定が良好であったことを表している。
【００６６】
ステップＳＰ３１では、取得された画像データの撮影シーンが判別される。具体的には、被写体を撮影する際の撮影倍率、焦点距離、被写体の輝度（明るさ）、測距情報等の撮影条件に基づいて、複数の撮影シーンの中から１の撮影シーンが自動的に選択される。複数の撮影シーンとしては、例えば、「ポートレート撮影」、「スポーツ撮影」、「風景撮影」等があり、撮影条件と撮影シーンとが対応づけられたデータテーブルを参照することによって、撮影条件に適した１の撮影シーンが選択される。
【００６７】
＜１−２−３．評価値の算出について＞
次に、ステップＳＰ６において実行される評価値算出動作について詳述する。図７は、評価値算出動作の詳細なフローチャートを示す図である。図８は、Ｆ値と重み係数Ｗｆとの関係を示す図である。図９は、シャッタースピードＰＥと重み係数Ｗｅとの関係を示す図である。図１０は、シャッタースピードＰＥと重み係数Ｗｈとの関係を示す図である。図１１は、平均比較値ＣＶｊおよび標準偏差ＣＨｊと評価値とが対応づけられたデータテーブルを示す図である。
【００６８】
図７に示されるように、ステップＳＰ５１では、複数枚（例えば３０枚）の撮影画像についての設定精度情報が取得され、撮影シーンごとに比較値が分類される。
【００６９】
ステップＳＰ５２では、撮影シーンごとに比較値が平均化され、平均比較値が算出される。平均比較値は、同一の撮影シーンとして分類された各画像データの比較値の単純平均でもよいが、本実施形態では、比較値相互間の重みを規定する重み付け係数（単に、「重み係数」とも称する）Ｗｊｉを用いて平均比較値を算出する場合について例示する。
【００７０】
具体的には、平均比較値ＣＶｊは、重み係数Ｗｊと比較値Ｃｊとを用いて式（１）のように表される。
【００７１】
【数１】
2008278408.tif 000003
【００７２】
なお、式（１）中の添字ｊは撮影情報の種類を表し、ｎは同一種類の撮影情報についての比較値の数を表している。
【００７３】
ここで、重み係数Ｗｊについて説明する。本実施形態では、重み係数Ｗｊは、撮影条件を設定する際の難易度に影響を与える所定の要素に応じて適宜の値に変更させて取得される。
【００７４】
具体的には、フォーカス情報に関する比較値Ｃｆは、絞り値（Ｆ値）に応じて変化する重み係数Ｗｆを用いて平均化される。
【００７５】
Ｆ値が小さい、すなわち開放側の絞りでは、焦点深度が小さく（浅く）なるため、合焦状態として許容される光軸方向のレンズ位置幅が狭くなり、手動によるフォーカスレンズの合焦位置の特定が困難になる。そこで、図８に示されるようにＦ値に応じて重み係数Ｗｆを変化させる、より詳細には、Ｆ値の増加とともに小さくなるように重み係数Ｗｆを設定する。これによれば、フォーカスレンズの合焦位置をユーザが設定する場合において、設定の難易度を考慮した平均比較値ＣＶｆを取得することが可能になる。例えば、Ｆ値が比較的小さいときには、手動合焦の難易度が比較的高くなる。この場合は、重み係数Ｗｆが比較的大きな値に設定され、難易度の高い状態において行われるユーザの設定が平均比較値ＣＶｆの値に大きな影響を及ぼすことになる。すなわち、重み係数Ｗｆを用いて算出された平均比較値ＣＶｆにおいては、難易度の高い状態において行われるユーザの設定が、高く評価されることになる。
【００７６】
また、露出情報に関する比較値Ｃｅは、シャッタースピードＰＥに応じて変化する重み係数Ｗｅを用いて平均化される。
【００７７】
動体を被写体とした動体撮影では、シャッタースピードＰＥを速く設定して撮影動作が実行されるが、動体を撮影する際には、その撮影タイミングが一瞬であるため、露出量を設定する時間が限られ露出量を或る程度予想して撮影することになる。このため、動体撮影では、手動による露出量の設定が比較的困難であるといえる。そこで、図９に示されるようにシャッタースピードＰＥに応じて重み係数Ｗｅを変化させる。より詳細には、シャッタースピードＰＥが速くなるとともに重み係数Ｗｅが大きくなるように設定する。これによれば、露出量をユーザが設定する場合において、設定の難易度を考慮した平均比較値ＣＶｅを取得することが可能になる。例えば、シャッタースピードＰＥが比較的速いときには、手動によって露出量を調整する際の調整難易度が比較的高くなる。この場合は、重み係数Ｗｅが比較的大きな値に設定され、難易度の高い状態において行われるユーザの設定が平均比較値の値に大きな影響を及ぼすことになる。すなわち、重み係数Ｗｅを用いて算出された平均比較値ＣＶｅにおいては、難易度の高い状態において行われるユーザの設定が、高く評価されることになる。
【００７８】
また、ＷＢ情報に関する比較値Ｃｈは、撮影画像における最大輝度差が所定の値以上である場合に、シャッタースピードＰＥに応じて変化する重み係数Ｗｈを用いて平均化される。
【００７９】
日向と日陰とが存在する状況で動体を撮影する場合は、主被写体となる動体が日向か日陰かいずれに存在するかを瞬時に判断してＷＢ調整値を変更することになる。このため、日向と日陰とが存在する状況における動体撮影では、手動によるＷＢ調整値の設定が困難となる。そこで、撮影画像における最大輝度差が所定の値以上である場合は、図１０に示されるようにシャッタースピードＰＥに応じて重み係数Ｗｈを変化させる。より詳細には、シャッタースピードＰＥが速くなるとともに重み係数Ｗｈが大きくなるように設定する。これによれば、ＷＢ調整値をユーザが設定する場合において、設定の難易度を考慮した平均比較値ＣＶｈを取得することが可能になる。例えば、撮影画像において輝度差が存在する状況において、シャッタースピードＰＥが比較的速いときには、手動によってＷＢ調整値を調整する際の調整難易度が比較的高くなる。この場合は、重み係数Ｗｈが比較的大きな値に設定され、難易度の高い状態において行われるユーザの設定が平均比較値ＣＶｈの値に大きな影響を及ぼすことになる。すなわち、重み係数Ｗｈを用いて算出された平均比較値ＣＶｈにおいては、難易度の高い状態において行われるユーザの設定が、高く評価されることになる。
【００８０】
次のステップＳＰ５３（図７）では、算出された平均比較値ＣＶｊに基づいて、撮影シーンごとに比較値の偏差情報が算出される。本実施形態では、偏差情報として、標準偏差ＣＨｊを算出する場合について例示するが、他の如何なる偏差情報であってもよい。
【００８１】
標準偏差ＣＨｊは、平均比較値ＣＶｊと比較値Ｃｊと重み係数Ｗｊとを用いて式（２）のように表される。
【００８２】
【数２】
2008278408.tif 000004
【００８３】
なお、式（２）中の添字ｊは撮影情報の種類を表し、ｎは同一種類の撮影情報についての比較値の数を表している。
【００８４】
このように、複数枚の撮影画像の画像データを用いて、撮影情報に関する平均比較値ＣＶｊと標準偏差ＣＨｊとを取得することによれば、ユーザが行う撮影条件の設定に関する傾向等を把握することが可能になる。
【００８５】
ステップＳＰ５４では、撮影シーンごとに算出された平均比較値ＣＶｊと標準偏差ＣＨｊとに基づいて、評価値Ｌｊが算出される。評価値の算出手法としては、平均比較値ＣＶｊおよび／または標準偏差ＣＨｊと、評価値とが対応づけられたデータテーブルを参照することによって、評価値を取得する手法を採用することができる。
【００８６】
例えば、図１１に示されるようなデータテーブルを用いて、１５段階に区分けされた評価値の中から露出情報に関する評価値Ｌｅを決定する場合について説明する。この場合、平均比較値ＣＶｅの絶対値が０．０５ＥＶであり、かつ標準偏差ＣＨｊが０．０８である場合は、評価値Ｌｅは「１５」となる。また、平均比較値ＣＶｅの絶対値が０．４５ＥＶであり、かつ標準偏差ＣＨｊが０．１５である場合は、評価値Ｌｅは「１３」となる。
【００８７】
ここでは、露出情報に関する評価値Ｌｅを決定する場合について例示したが、ＷＢ情報，フォーカス情報に関する評価値Ｌｈ，Ｌｆについても、それぞれ対応するデータテーブルを用いることによって同様の手法により決定することができる。
【００８８】
このように、撮影シーンごとに評価値Ｌｊを算出することによれば、ユーザにとって苦手なシーンまたは得意なシーンをそれぞれ分析して情報を出力することができるため、ユーザの撮影技術の向上を促すことが可能となる。
【００８９】
＜１−２−４．情報出力について＞
ここで、ステップＳＰ８において実行される情報出力動作について詳述する。図１２および図１３は、モニタ１２に表示される情報出力例を示す図である。
【００９０】
上述のように、ユーザ操作によって評価モードがＯＮ状態になると、ユーザの撮影技術に関する評価情報がモニタ１２に表示される。
【００９１】
情報出力例ＥＡ１（図１２参照）では、ポートレート撮影におけるユーザの撮影技術に関する評価情報が出力されている。具体的には、図１２中の領域ＡＲ１においては、ポートレート撮影における露出情報、色情報、フォーカス情報に関する評価値が１５段階で表示されている。このように、撮影シーンごとに評価値を表示することによれば、ユーザは自分の不得手な撮影シーンを容易に把握することが可能となる。
【００９２】
また、領域ＡＲ２においては、アドバイス情報が表示される。このように、評価値に基づいてアドバイス情報を表示することによれば、撮影時の傾向または癖をユーザに的確に伝えることが可能になり、ユーザの撮影技術の向上を促すことが可能になる。
【００９３】
また、領域ＡＲ２の下部には、ポートレート撮影における撮影情報に関する各評価値の傾向を表す代表的な画像ＧＲが表示される。このように、評価値およびアドバイス情報とともに、実例となる画像ＧＲを表示することで、ユーザの理解度をさらに向上させることが可能になる。
【００９４】
モニタ１２に表示する第２の情報出力例ＥＡ２（図１３参照）では、図１３中の左部において蓄積された各画像データについての比較値がヒストグラムとして表示されている。このように、蓄積された複数の画像データについての比較値を直接表示することによれば、ユーザは、撮影時の傾向を把握することが可能になる。
【００９５】
また、図１３中の右部においては、評価値の経時変化がグラフ化されている。このように過去の評価値と現在の評価値とをグラフ化して表示することによれば、ユーザは、自己の撮影技術の進歩を把握することができるので、ユーザに対して更なる撮影技術の向上を促すことが可能になる。
【００９６】
以上のように、第１実施形態に係る撮像装置１は、撮像素子で複数回にわたって取得された複数の撮影画像各々について、手動設定モードにおいて使用者の操作によって設定された撮影画像を取得する際の撮影条件と、撮影画像についての最適撮影条件とを比較して記憶する。そして、複数の撮影画像についての比較結果それぞれに基づいて使用者の撮影技術に関する撮影評価を行い、撮影評価を出力する。これによれば、手動モードにおけるユーザの撮影の傾向または癖をユーザに提供することが可能になり、ユーザの撮影技術の向上を促すことが可能になる。
【００９７】
なお、上記説明において示されたフローチャートの各処理工程は、撮像装置のＲＯＭ（不図示）に記憶されているプログラムに基づいて撮像装置１が各機能を果たすことによって実現される。
【００９８】
＜２．第２実施形態＞
次に、本発明の第２実施形態について説明する。上記第１実施形態においては、撮像装置１において撮影条件の解析等の全ての処理を実行していたが、第２実施形態では、撮影された画像データ等を入力情報ＮＤとして画像処理装置（例えば、パーソナルコンピュータ（ＰＣ）、携帯情報端末）５０に入力し、当該画像処理装置５０において撮影条件の解析等の各処理を実行する。図１４は、第２実施形態に係る画像処理装置５０の機能構成を示すブロック図である。
【００９９】
第２実施形態に係る画像処理装置５０は、第１実施形態に係る撮像装置１とほぼ同様の機能を有しており、共通する機能については同じ符号を付して説明を省略する。
【０１００】
具体的には、図１４に示されるように、画像処理装置５０は、データ取得部５０１とデータ記憶部５０２と撮影条件解析部１０５と設定精度情報記憶部１０６と評価値算出部１０７とアドバイス情報記憶部１０８と制御部１０９と情報出力部１１０とを備えている。
【０１０１】
画像処理装置５０は、データ取得部５０１において撮像装置等によって取得された画像データと当該画像データに関連する情報（関連情報）とを入力情報ＮＤとして取得する。そして、取得された入力情報ＮＤはデータ記憶部５０２に記憶され、記憶された入力情報ＮＤに基づいて、設定条件の解析等の各処理（図５のステップＳＰ２〜ＳＰ８）が実行される。
【０１０２】
なお、関連情報には、入力される画像データの撮影条件が含まれ、当該撮影条件は、画像データに例えばＥｘｉｆ情報として付属されている。Ｅｘｉｆ情報に含まれない撮影条件は、撮影画像の情報等を記載できるメーカ独自のメーカノート等に記憶されて画像処理装置５０に入力される。
【０１０３】
なお、上記説明において示されたフローチャートの各処理工程は、画像処理装置５０のＲＯＭ（不図示）に記憶されているプログラムに基づいて画像処理装置５０が各機能を果たすことによって実現されるが、ＣＤ−ＲＯＭなどの記録媒体に記録されたプログラムが画像処理装置５０に読み込まれ、画像処理装置５０が各機能を果たすことによって実現されてもよい。更に、記録媒体に記録されたプログラムは、上記フローチャートの全てを画像処理装置５０に実現させるものではなく、その一部を実現させるプログラムであってもよい。既に画像処理装置５０に読み込まれたプログラムと連携して動作しても上記フローチャートは実現できるからである。
【０１０４】
＜３．変形例＞
以上、この発明の実施の形態について説明したが、この発明は、上記に説明した内容に限定されるものではない。
【０１０５】
例えば、上記各実施形態では、露出情報として、ステップＳＰ２２において撮影時の絞り値、シャッタースピードおよびＩＳＯ感度から露出量を算出していたがこれに限定されない。例えば、ポートレート撮影の場合は、撮影後の画像データを用いて顔検出を行い、被写体の肌色輝度値を露出情報として用いてもよい。肌色輝度値は、撮影後の画像データに基づいて取得されるので、撮影前の情報（絞り値、シャッタースピードおよびＩＳＯ感度）から算出される露出量よりも正確な露出情報である。したがって、肌色輝度値を露出情報として用いることによれば、ステップＳＰ３０において、より正確な露出情報に関する比較値を取得することが可能となる。
【０１０６】
また、上記各実施形態では、露出情報、ＷＢ情報およびフォーカス情報に関する評価値を算出していたがこれに限定されない。具体的には、撮像素子のダイナミックレンジを予め取得し、撮影画像における各画素の画素値のダイナミックレンジからのズレ量に基づいて評価値を算出してもよい。ダイナミックレンジからのズレ量は、例えば、撮影画像を構成する全画素に対する白つぶれおよび黒つぶれ状態となった画素の割合（換言すれば、白つぶれおよび黒つぶれ状態の画素の全画素に占める面積率）を用いて表すことができる。なお、撮影画像において画素のグレーレベルを８ビットで表現した場合は、白つぶれ状態の画素の画素値は「２５５」となり、黒つぶれ状態の画素の画素値は「０」となる。
【０１０７】
また、上記第１実施形態では、撮像装置１が位相差方式のＡＦ機能を有する場合について説明したが、位相差方式のＡＦ機能に代えてコントラスト方式のＡＦ機能を有していてもよい。この場合は、レリーズボタン１１の半押し状態が検出されると、フォーカスレンズが駆動されて、コントラストが最も高くなるフォーカスレンズ位置が特定される。そして、コントラストが最も高くなるフォーカスレンズ位置が合焦位置として、画像データ記憶部１０４に記憶され、ステップＳＰ２９において最適レンズ位置として取得される。
【０１０８】
上記各実施形態のステップＳＰ５２では、各撮影画像における撮影間隔と各撮影画像の設定精度情報に基づいて重み係数Ｗｊｉを変更して平均比較値を算出してもよい。例えば、連続して撮影された２枚の撮影画像の撮影間隔が短く、２枚の撮影画像の設定精度情報から判断してこれら２枚の撮影画像が同じような撮影条件で撮影された画像であると推定される場合は、同一のシーンが連続して撮影されている可能性が高くなる。したがって、このような場合は、平均比較値を算出する際に当該２枚の撮影画像についての重み係数を小さく設定してもよい。これによれば、ユーザの撮影技術に対する適正な評価を行うことが可能となる。
【図面の簡単な説明】
【０１０９】
【図１】本発明の第１実施形態に係る撮像装置の外観構成を示す図である。
【図２】本発明の第１実施形態に係る撮像装置の外観構成を示す図である。
【図３】撮像装置の機能構成を示すブロック図である。
【図４】撮影条件解析部の詳細を示すブロック図である。
【図５】撮像装置の動作フローチャートである。
【図６】撮影条件解析工程の詳細なフローチャートを示す図である。
【図７】評価値算出工程の詳細なフローチャートを示す図である。
【図８】Ｆ値と重み係数との関係を示す図である。
【図９】シャッタースピードと重み係数との関係を示す図である。
【図１０】シャッタースピードと重み係数との関係を示す図である。
【図１１】平均比較値および標準偏差と評価値とが対応づけられたデータテーブルを示す図である。
【図１２】モニタに表示される情報出力例を示す図である。
【図１３】モニタに表示される情報出力例を示す図である。
【図１４】第２実施形態に係る画像処理装置の機能構成を示すブロック図である。
【符号の説明】
【０１１０】
１    撮像装置
３    撮影レンズ
４    フラッシュ
１０  ファインダ窓
１１  レリーズボタン
１２  モニタ
１５  メインスイッチ
１６  評価モード設定ボタン
１８  撮影モード設定キー
Ｗｆ  重み係数
Ｗｅ  重み係数
Ｗｈ  重み係数
【図１】
2008278408.tif 000005
【図２】
2008278408.tif 000006
【図３】
2008278408.tif 000007
【図４】
2008278408.tif 000008
【図５】
2008278408.tif 000009
【図６】
2008278408.tif 000010
【図７】
2008278408.tif 000011
【図８】
2008278408.tif 000012
【図９】
2008278408.tif 000013
【図１０】
2008278408.tif 000014
【図１１】
2008278408.tif 000015
【図１２】
2008278408.tif 000016
【図１３】
2008278408.tif 000017
【図１４】
2008278408.tif 000018